(57)【要約】【課題】  光学ファインダと電子ファインダとを選択的に使用でき、さらに電子ファインダ状態にて放置された場合でも、光線や熱による影響から撮像素子を保護できる撮像装置を提供する。【解決手段】  撮像装置は、撮影レンズ５０により形成された物体像の観察を可能とするファインダ光学系４０と、撮影レンズにより形成された物体像を光電変換する撮像素子３５と、撮影レンズからの光束を用いて焦点状態を検出する焦点検出手段６０と、撮影レンズからの光束のうち一部をファインダ光学系に向かわせ、他を焦点検出手段に向かわせる第１の状態、および撮影レンズからの光束のうち一部を撮像素子に向かわせ、他を焦点検出手段に向かわせる第２の状態に切り換えが可能な光路分割手段２２，２３とを有する。制御手段は、光路分割手段が第２の状態にあって、撮像素子からの信号に基づいて生成される画像の記録を行わない非撮像状態が設定されたときは、該光路分割手段を第１の状態に切り換える。【選択図】  図３
2006340277.tif 000002
【特許請求の範囲】
【請求項１】
撮影レンズにより形成された物体像の観察を可能とするファインダ光学系と、
前記撮影レンズにより形成された物体像を光電変換する撮像素子と、
前記撮影レンズからの光束を用いて該撮影レンズの焦点状態を検出する焦点検出手段と、
前記撮影レンズからの光束を前記ファインダ光学系と前記焦点検出手段とに導くように光路分割する第１の状態、および前記撮影レンズからの光束を前記撮像素子と前記焦点検出手段とに導くように光路分割する第２の状態に切り換えが可能な光路分割手段と、
電源を制御する電源スイッチと、
前記光路分割手段の動作を制御する制御手段とを有し、
前記光路分割手段が前記第２の状態にあるときに、前記電源スイッチを操作された場合には、前記制御手段は、該光路分割手段を前記第２の状態から前記第１の状態に切り換えるように制御することを特徴とする撮像装置。
【請求項２】
撮影レンズにより形成された物体像の観察を可能とするファインダ光学系と、
前記撮影レンズにより形成された物体像を光電変換する撮像素子と、
前記撮影レンズからの光束を用いて該撮影レンズの焦点状態を検出する焦点検出手段と、
前記撮影レンズからの光束を前記ファインダ光学系と前記焦点検出手段とに導くように光路分割する第１の状態、および前記撮影レンズからの光束を前記撮像素子と前記焦点検出手段とに導くように光路分割する第２の状態に切り換えが可能な光路分割手段と、
所定時間操作が行われないことに応じて所定の信号を出力する信号出力手段と、
前記光路分割手段の動作を制御する制御手段とを有し、
前記光路分割手段が前記第２の状態にあるときに、前記信号出力手段から所定の信号が出力される場合には、前記制御手段は、該光路分割手段を前記第２の状態から前記第１の状態に切り換えるように制御することを特徴とする撮像装置。
【請求項３】
撮影レンズにより形成された物体像の観察を可能とするファインダ光学系と、
前記撮影レンズにより形成された物体像を光電変換する撮像素子と、
前記撮影レンズからの光束を用いて該撮影レンズの焦点状態を検出する焦点検出手段と、
前記撮影レンズからの光束を前記ファインダ光学系と前記焦点検出手段とに導くように光路分割する第１の状態、および前記撮影レンズからの光束を前記撮像素子と前記焦点検出手段とに導くように光路分割する第２の状態に切り換えが可能な光路分割手段と、
前記撮像素子にて光電変換された画像を表示する表示手段と、
前記表示手段による画像の表示をオン、オフする表示スイッチと、
前記光路分割手段の動作を制御する制御手段とを有し、
前記光路分割手段が前記第２の状態にあるときに、前記表示スイッチがオフになった場合には、前記制御手段は、該光路分割手段を前記第２の状態から前記第１の状態に切り換えるように制御することを特徴とする撮像装置。
【請求項４】
撮影レンズにより形成された物体像の観察を可能とするファインダ光学系と、
前記撮影レンズにより形成された物体像を光電変換する撮像素子と、
前記撮影レンズからの光束を用いて該撮影レンズの焦点状態を検出する焦点検出手段と、
前記撮影レンズからの光束を前記ファインダ光学系と前記焦点検出手段とに導くように光路分割する第１の状態、前記撮影レンズからの光束を前記撮像素子と前記焦点検出手段とに導くように光路分割する第２の状態および撮影光路外に退避する第３の状態に切り換えが可能な光路分割手段と、
撮影動作の開始を指示する操作部材と、
前記光路分割手段の動作を制御する制御手段とを有し、
前記操作部材の操作に応じて、前記第１の状態または前記第２の状態から前記第３の状態に移行する際の動作速度が前記第１の状態と前記第２の状態との間を移行する際の動作速度よりも速くなるように、前記制御手段は前記光路分割手段の動作を制御することを特徴とする撮像装置。
【請求項５】
撮影レンズにより形成された物体像の観察を可能とするファインダ光学系と、
前記撮影レンズにより形成された物体像を光電変換する撮像素子と、
前記撮影レンズからの光束を用いて該撮影レンズの焦点状態を検出する焦点検出手段と、
前記撮影レンズからの光束を前記ファインダ光学系と前記焦点検出手段とに導くように光路分割する第１の状態、および前記撮影レンズからの光束を前記撮像素子と前記焦点検出手段とに導くように光路分割する第２の状態に切り換えが可能な光路分割手段と、
切換スイッチの操作もしくは所定条件を満たすことに応じて、前記光路分割手段を前記第１の状態と前記第２の状態との間で切り換え動作を行う切換動作手段とを有し、
前記切換スイッチの操作に応じて前記光路分割手段を前記第１の状態と前記第２の状態との間で切り換える場合の動作速度が所定条件を満たすことに応じて、前記光路分割手段を前記第１の状態と前記第２の状態との間で切り換える場合の動作速度よりも速くなるように、前記制御手段は前記光路分割手段の動作を制御することを特徴とする撮像装置。
【請求項６】
前記撮像装置の電源を制御する電源スイッチを有し、前記所定条件は前記光路分割手段が前記第２の状態にあるときに、前記電源スイッチを操作された場合であることを特徴とする請求項５に記載の撮像装置。
【請求項７】
所定時間操作が行われないことに応じて所定の信号を出力する信号出力手段を有し、前記所定条件は前記光路分割手段が前記第２の状態にあるときに、前記信号出力手段から所定の信号が出力される場合であることを特徴とする請求項５に記載の撮像装置。
【請求項８】
前記撮像素子にて光電変換された画像を表示する表示手段と、前記表示手段による画像の表示をオン、オフする表示スイッチとを有し、前記所定条件は前記光路分割手段が前記第２の状態にあるときに、前記表示スイッチがオフになった場合であることを特徴とする請求項５に記載の撮像装置。
【請求項９】
前記光路分割手段よりも前記撮像素子側に配置された部材が受ける光量を検出する検出手段とを有し、前記所定条件は前記光路分割手段が前記第２の状態にあって、前記検出手段による検出光量が所定値以上の場合であることを特徴とする請求項５に記載の撮像装置。
【請求項１０】
前記光路分割手段よりも前記撮像素子側に配置された部材の温度を検出する検出手段とを有し、前記所定条件は前記光路分割手段が前記第２の状態にあって、前記検出手段による検出温度が所定値以上の場合であることを特徴とする請求項５に記載の撮像装置。
【請求項１１】
撮影レンズにより形成された物体像の観察を可能とするファインダ光学系と、
前記撮影レンズにより形成された物体像を光電変換する撮像素子と、
前記撮影レンズからの光束を用いて該撮影レンズの焦点状態を検出する焦点検出手段と、
前記撮影レンズからの光束のうち一部を前記ファインダ光学系に向かわせ、他を前記焦点検出手段に向かわせる第１の状態、および前記撮影レンズからの光束のうち一部を前記撮像素子に向かわせ、他を前記焦点検出手段に向かわせる第２の状態に切り換えが可能な光路分割手段と、
前記光路分割手段の動作を制御する制御手段と、
前記光路分割手段よりも前記撮像素子側に配置された部材が受ける光量を検出する検出手段とを有し、
前記光路分割手段が前記第２の状態にあって、前記検出手段による検出光量が所定値以上の場合に、前記制御手段は、該光路分割手段を前記第２の状態から前記第１の状態に切り換えるように制御することを特徴とする撮像装置。
【請求項１２】
撮影レンズにより形成された物体像の観察を可能とするファインダ光学系と、
前記撮影レンズにより形成された物体像を光電変換する撮像素子と、
前記撮影レンズからの光束を用いて該撮影レンズの焦点状態を検出する焦点検出手段と、
前記撮影レンズからの光束のうち一部を前記ファインダ光学系に向かわせ、他を前記焦点検出手段に向かわせる第１の状態、および前記撮影レンズからの光束のうち一部を前記撮像素子に向かわせ、他を前記焦点検出手段に向かわせる第２の状態に切り換えが可能な光路分割手段と、
前記光路分割手段の動作を制御する制御手段と、
前記光路分割手段よりも前記撮像素子側に配置された部材の温度を検出する検出手段とを有し、
前記光路分割手段が前記第２の状態にあって、前記検出手段による検出温度が所定値以上の場合に、前記制御手段は該光路分割手段を前記第２の状態から前記第１の状態に切り換えるように制御することを特徴とする撮像装置。
【発明の詳細な説明】
【技術分野】
【０００１】
本発明は、撮影レンズからの光束を用いる光学ファインダと電子ファインダとを選択的に使用できる撮像装置に関するものである。
【背景技術】
【０００２】
レンズ交換型の一眼レフデジタルカメラには、ミラーを、撮影レンズからの光束をファインダ光学系に導く第１の位置と、該光束を撮像（画像記録）前において撮像素子に導くよう光路外に退避する第２の位置とに移動可能としたものがある（特許文献１参照）。
【０００３】
また、本出願人は、一眼レフデジタルカメラにおいて、ハーフミラーを用いて、撮影レンズからの光束をファインダ光学系および焦点検出ユニットに導く第１の状態と、撮影レンズからの光束を撮像素子および焦点検出ユニットに導く第２の状態との間で切り換えが可能な撮像装置を提案している（特許文献２参照）。
【０００４】
これら一眼レフデジタルカメラによれば、光学ファインダによる被写体観察と電子ファインダによる被写体観察とを選択的に行うことができる。
【特許文献１】特開２００１−１２５１７３号公報（段落００３５〜００３９、図３，４等)
【特許文献２】特開２００４−２６４８３２号公報（段落００１１９〜０１２３、図８等）
【発明の開示】
【発明が解決しようとする課題】
【０００５】
しかしながら、撮像素子に結像している高輝度物体の画像を電子ファインダに表示した状態でカメラが長時間放置されると、撮像素子に長時間強い光線が照射されることに加え、該撮像素子の温度が通常輝度の被写体画像を表示している場合に比べて高温になる。したがって、強い光線や熱の影響によって撮像素子が劣化するおそれがある。
【０００６】
なお、光線や熱の影響から撮像素子を保護するためにシャッタを閉じ状態とすることも考えられる。しかしながら、一眼レフカメラにおいて、シャッタは一般に結像面の近傍に配置される。このため、シャッタを閉じた状態で高輝度物体がシャッタ羽根上に略結像したままカメラが長時間放置されると、シャッタ羽根が高温になり、変形する可能性がある。
【０００７】
そこで本発明は、撮影レンズからの光束を用いる光学ファインダと電子ファインダとを選択的に使用でき、さらに電子ファインダの使用状態にて長時間放置された場合でも、光線や熱による影響から撮像素子を保護できるようにした撮像装置を提供することを目的の１つとしている。
【課題を解決するための手段】
【０００８】
本発明の一側面としての撮像装置は、撮影レンズにより形成された物体像の観察を可能とするファインダ光学系と、撮影レンズにより形成された物体像を光電変換する撮像素子と、撮影レンズからの光束を用いて該撮影レンズの焦点状態を検出する焦点検出手段と、撮影レンズからの光束をファインダ光学系と焦点検出手段とに導くように光路分割する第１の状態、および撮影レンズからの光束を撮像素子と焦点検出手段とに導くように光路分割する第２の状態に切り換えが可能な光路分割手段と、電源を制御する電源スイッチと、光路分割手段の動作を制御する制御手段とを有する。そして、光路分割手段が第２の状態にあるときに、電源スイッチを操作された場合には、制御手段は、該光路分割手段を第２の状態から第１の状態に切り換えるように制御することを特徴とする。
【０００９】
また、本発明の他の側面としての撮像装置は、撮影レンズにより形成された物体像の観察を可能とするファインダ光学系と、撮影レンズにより形成された物体像を光電変換する撮像素子と、撮影レンズからの光束を用いて該撮影レンズの焦点状態を検出する焦点検出手段と、撮影レンズからの光束をファインダ光学系と焦点検出手段とに導くように光路分割する第１の状態、および撮影レンズからの光束を撮像素子と焦点検出手段とに導くように光路分割する第２の状態に切り換えが可能な光路分割手段と、所定時間操作が行われないことに応じて所定の信号を出力する信号出力手段と、光路分割手段の動作を制御する制御手段とを有する。そして、光路分割手段が第２の状態にあるときに、信号出力手段から所定の信号が出力される場合には、制御手段は、該光路分割手段を第２の状態から第１の状態に切り換えるように制御することを特徴とする。
【００１０】
また、本発明の他の側面としての撮像装置は、撮影レンズにより形成された物体像の観察を可能とするファインダ光学系と、撮影レンズにより形成された物体像を光電変換する撮像素子と、撮影レンズからの光束を用いて該撮影レンズの焦点状態を検出する焦点検出手段と、撮影レンズからの光束をファインダ光学系と焦点検出手段とに導くように光路分割する第１の状態、および撮影レンズからの光束を撮像素子と焦点検出手段とに導くように光路分割する第２の状態に切り換えが可能な光路分割手段と、撮像素子にて光電変換された画像を表示する表示手段と、表示手段による画像の表示をオン、オフする表示スイッチと、光路分割手段の動作を制御する制御手段とを有する。そして、光路分割手段が第２の状態にあるときに、表示スイッチがオフになった場合には、制御手段は、該光路分割手段を第２の状態から第１の状態に切り換えるように制御することを特徴とする。
【００１１】
また、本発明の他の側面としての撮像装置は、撮影レンズにより形成された物体像の観察を可能とするファインダ光学系と、撮影レンズにより形成された物体像を光電変換する撮像素子と、撮影レンズからの光束を用いて該撮影レンズの焦点状態を検出する焦点検出手段と、撮影レンズからの光束をファインダ光学系と焦点検出手段とに導くように光路分割する第１の状態、撮影レンズからの光束を撮像素子と焦点検出手段とに導くように光路分割する第２の状態および撮影光路外に退避する第３の状態に切り換えが可能な光路分割手段と、撮影動作の開始を指示する操作部材と、光路分割手段の動作を制御する制御手段とを有する。そして、操作部材の操作に応じて、第１の状態または第２の状態から第３の状態に移行する際の動作速度が第１の状態と第２の状態との間を移行する際の動作速度よりも速くなるように、制御手段は光路分割手段の動作を制御することを特徴とする。
【００１２】
また、本発明の他の側面としての撮像装置は、撮影レンズにより形成された物体像の観察を可能とするファインダ光学系と、撮影レンズにより形成された物体像を光電変換する撮像素子と、撮影レンズからの光束を用いて該撮影レンズの焦点状態を検出する焦点検出手段と、撮影レンズからの光束をファインダ光学系と焦点検出手段とに導くように光路分割する第１の状態、および撮影レンズからの光束を撮像素子と焦点検出手段とに導くように光路分割する第２の状態に切り換えが可能な光路分割手段と、切換スイッチの操作もしくは所定条件を満たすことに応じて、光路分割手段を第１の状態と第２の状態との間で切り換え動作を行う切換動作手段とを有する。そして、切換スイッチの操作に応じて光路分割手段を第１の状態と第２の状態との間で切り換える場合の動作速度が所定条件を満たすことに応じて、光路分割手段を第１の状態と第２の状態との間で切り換える場合の動作速度よりも速くなるように、制御手段は光路分割手段の動作を制御することを特徴とする。
【００１３】
また、本発明の他の側面としての撮像装置は、撮影レンズにより形成された物体像の観察を可能とするファインダ光学系と、撮影レンズにより形成された物体像を光電変換する撮像素子と、撮影レンズからの光束を用いて該撮影レンズの焦点状態を検出する焦点検出手段と、撮影レンズからの光束のうち一部をファインダ光学系に向かわせ、他を焦点検出手段に向かわせる第１の状態、および撮影レンズからの光束のうち一部を撮像素子に向かわせ、他を焦点検出手段に向かわせる第２の状態に切り換えが可能な光路分割手段と、光路分割手段の動作を制御する制御手段と、光路分割手段よりも撮像素子側に配置された部材が受ける光量を検出する検出手段とを有する。そして、光路分割手段が第２の状態にあって、検出手段による検出光量が所定値以上の場合に、制御手段は、該光路分割手段を第２の状態から第１の状態に切り換えるように制御することを特徴とする。
【００１４】
さらに、本発明の他の側面としての撮像装置は、撮影レンズにより形成された物体像の観察を可能とするファインダ光学系と、撮影レンズにより形成された物体像を光電変換する撮像素子と、撮影レンズからの光束を用いて該撮影レンズの焦点状態を検出する焦点検出手段と、撮影レンズからの光束のうち一部をファインダ光学系に向かわせ、他を前記焦点検出手段に向かわせる第１の状態、および撮影レンズからの光束のうち一部を撮像素子に向かわせ、他を焦点検出手段に向かわせる第２の状態に切り換えが可能な光路分割手段と、光路分割手段の動作を制御する制御手段と、光路分割手段よりも撮像素子側に配置された部材の温度を検出する検出手段とを有する。そして、光路分割手段が第２の状態にあって、検出手段による検出温度が所定値以上の場合に、制御手段は該光路分割手段を第２の状態から第１の状態に切り換えるように制御することを特徴とする。
【発明の効果】
【００１５】
本発明によれば、光学ファインダと電子ファインダとを選択的に使用できる撮像装置において、電子ファインダの使用状態である第２の状態において電源スイッチを操作された場合には、撮影レンズからの光束が撮像素子に到達しない第１の状態に自動的に切り換えられるので、光線や熱による影響から撮像素子を保護することができる。
【００１６】
また、第２の状態において撮像素子などの光路分割手段よりも撮像素子側に配置された部材が受ける光量が増加したり、それらの温度が上昇したりしたときには、撮影レンズからの光束が撮像素子に到達しない第１の状態に自動的に切り換えられるので、光線や熱による影響から撮像素子や光路分割手段よりも撮像素子側に配置された部材を保護することができる。
【発明を実施するための最良の形態】
【００１７】
以下、本発明の実施例について図面を参照しながら説明する。
【実施例１】
【００１８】
図１には、本発明の実施例１であるレンズ交換式の一眼レフデジタルスチルカメラ（撮像装置）の電気的構成を示している。
【００１９】
図１において、２はカメラ本体１内の動作を制御する制御手段としてのマイクロプロセッサである。３はモータ駆動回路であり、マイクロプロセッサ２からの制御信号を受けることにより、カメラ本体１内に配置された不図示のモータを駆動する。このモータは、カメラ本体１内に配置された、後述するメインミラーおよびサブミラーからなる光路分割系の駆動源である。
【００２０】
４は被写体の輝度を測定（測光）するための測光センサであり、測光結果をマイクロプロセッサ２に出力する。マイクロプロセッサ２は、測光センサ４からの出力を受けて露出値（絞り値やシャッタ速度）の演算を行う。
５はカメラ本体１に装着されたレンズ装置内に設けられた撮影光学系の焦点状態を検出するための焦点検出センサである。焦点検出センサ５は、位相差検出方式による焦点検出を行う。
【００２１】
６はシャッタ制御回路であり、マイクロプロセッサ２からの制御信号を受けることにより、カメラ本体１内に設けられたシャッタユニットの駆動を制御する。これにより、撮影光学系から後述する撮像素子に到達する光量を調節することができる。
【００２２】
８はディスプレイユニットであり、撮像素子から読み出されて生成された画像データを表示したり特定の情報を表示したりする。９はフラッシュ制御回路であり、マイクロプロセッサ２からの制御信号を受けることにより、カメラ本体１に内蔵されたフラッシュユニット１６の発光を制御する。
【００２３】
１０はカメラ本体１の状態に関する情報等を格納するための記憶回路であり、１１は撮像素子の駆動を行うための撮像素子駆動回路である。
【００２４】
１２はカメラ本体１に装着されたレンズ装置と通信を行うためのレンズ通信回路である。マイクロプロセッサ２は、レンズ通信回路１２を介して、レンズ装置内に設けられたレンズ制御回路１９との通信を行うことができる。レンズ制御回路１９は、焦点検出センサ５の検出結果から得られたフォーカスレンズの駆動量に関する情報をマイクロプロセッサ２から受信することにより、レンズ装置内に配置されたフォーカスレンズを光軸方向に移動させて焦点調節を行う。また、レンズ制御回路１９は、絞り値に関する情報をマイクロプロセッサ２から受信すると、レンズ装置内に設けられた絞りユニットの駆動を制御する。これにより、レンズ装置からカメラ本体１内に取り込まれる光量を調節することができる。
【００２５】
１３は、カメラ本体１に装着されるレンズ装置以外のアクセサリ、例えば、照明装置や半導体メモリ、光ディスク等の記録媒体と通信するためのアクセサリ通信回路である。
【００２６】
ＳＷ１は、撮影者によるレリーズボタンの半押し操作（第１ストローク操作）によりオンして、測光動作や焦点調節動作といった撮影準備動作を開始させるための第１ストロークスイッチである。ＳＷ２は、撮影者によるレリーズボタンの全押し操作（第２ストローク操作）によりオンして、撮像素子からの出力信号に基づいて記録用画像（静止画像又は動画像）の生成および該記録用画像の記録媒体への記録を行う一連の撮影動作を開始させるための第２ストロークスイッチである。本実施例では、撮像素子からの信号に基づいて画像を生成することを「撮像」といい、この第２ストロークスイッチＳＷ２のオンに応じて行われる記録用画像の生成および記録を「撮影」という。
【００２７】
フラッシュユニット１６は、被写体に対して照明光を照射したり、焦点調節（ＡＦ）を行うときに被写体に対してＡＦ補助光を照射したりする。
１７はシャッタ検知回路であり、シャッタユニット３０が開放状態であるか閉鎖状態で有るかを検知する。１８はミラー検知回路であり、メインミラー２１およびサブミラー２３の位置もしくは状態を検知する。
【００２８】
ＳＷ３は撮影者により操作されるファインダモード切り換えスイッチである。このファインダモード切り換えスイッチＳＷ３が操作されることにより、メインミラー２１およびサブミラー２３からなる光路分割系を光学ファインダによる被写体観察が可能な状態（以下、ＯＶＦ〈Optical ViewFinder〉状態という）とするＯＶＦモードと、光路分割系を電子ファインダによる被写体観察が可能な状態（以下、ＥＶＦ〈Electrical ViewFinder〉状態という）とするＥＶＦモードとの間での切り換えが指示される。
【００２９】
１４は調光回路であり、フラッシュユニット１６の発光量を検出して、フラッシュユニット１６の発光量制御を行う。
【００３０】
ＳＷ４は、ディスプレイユニット８の表示のＯＮ／ＯＦＦを行うためのディスプレイＯＮ／ＯＦＦスイッチである。
【００３１】
図２にはＯＶＦモードにおける本実施例のカメラの構成を、図３にはＥＶＦモードにおけるカメラの構成を、図４には、撮像状態における本実施例のカメラの構成をそれぞれ示している。
【００３２】
図２から図４において、２０はミラーボックスであり、後述するメインミラー２１およびサブミラー２３により構成される光路分割系を保持するとともに、レンズ装置が装着されるマウントが固定されている。
【００３３】
２１は撮影光学系からの光束を分割および偏向するためのハーフミラーからなるメインミラーである。２２はミラーボックス２０に対して回動可能に保持され、メインミラー２１を支持するメインミラーレバーである。２３はサブミラーであり、ミラーボックス２０に対して回動可能に保持されている。
【００３４】
３５はＣＣＤセンサやＣＭＯＳセンサなどにより構成される撮像素子であり、撮影光学系によって形成された光学像を光電変換によって電気信号に変換し、電荷を蓄積する。マイクロプロセッサ２は、撮像素子３５に蓄積された電荷を読み出し、各種画像処理を行って画像を生成する。
【００３５】
３０は撮像素子３５へ入射する光束の量を調節するシャッタユニットである。シャッタユニット３０は、撮像素子３５に対応した露光開口であるシャッタ開口３３を露光前に閉鎖するシャッタ先幕３１と、露光後にシャッタ開口３３を閉鎖するシャッタ後幕３２とを有するフォーカルプレーンシャッタである。
【００３６】
３９は外部表示装置としてのディスプレイユニットであり、図１に示すディスプレイユニット８に相当する。撮影者は、ディスプレイユニット３９に表示された画像や情報をカメラ本体１の外部から観察することができる。
【００３７】
４０は、光学ファインダを構成するファインダ光学系であり、メインミラー２１により反射された光束が入射する。４１は、ペンタプリズム或いはペンタダハミラーにより構成される正立正像光学系であり、光学ファインダの像を正立像に変換する。４２は接眼光学系、４３は焦点板であり、いずれもファインダ光学系４０を構成する部材である。
【００３８】
４７はシャッタ先幕３１が走行準備位置に位置するか走行完了位置に位置するかを検出する先幕検知器であり、４８はシャッタ後幕３２が走行準備位置に位置するか走行完了位置に位置するかを検出する後幕検知器である。これら先幕検知器４７および後幕検知器４８は、図１に示したシャッタ検知回路１７に含まれる。
【００３９】
５０は撮像光学系（撮影レンズ）であり、変倍レンズやフォーカスレンズ等のレンズ５１と、絞りユニット５２とを含む。６０は焦点検出ユニットであり、撮像光学系５０の焦点状態の検出を行う。
【００４０】
図２に示すＯＶＦモードにおいて、メインミラー２１およびサブミラー２３は撮影光学系５０から撮像素子３５に至る撮影光路内に配置されている（以下、この状態を光路分割系のＯＶＦ状態という）。このＯＶＦモードでは、撮影光学系５０からの光束のうちメインミラー２１にて反射した光束はファインダ光学系４０に導かれ、メインミラー２１を透過した光束はサブミラー２３で反射して焦点検出ユニット６０に導かれる。これにより、ファインダ光学系４０を介して被写体を観察しながら、撮影光学系５０の焦点状態の検出を行うことができる。
【００４１】
また、このＯＶＦモードでは、シャッタ先幕３１およびシャッタ後幕３２はシャッタ開口３３に対して退避し、シャッタ開口３３を開放している。但し、メインミラー２１を透過した光束はサブミラー２３により反射されて焦点検出ユニット６０に導かれるので、撮像素子３５およびシャッタユニット３０のシャッタ先幕および後幕３１，３２には光束が到達せず、撮影光学系５０に高輝度被写体からの光束が入射していても撮像素子３５およびシャッタユニット３０には影響を及ぼさない。
【００４２】
図３に示すＥＶＦモードでは、サブミラー２３は撮影光路外に退避し、メインミラー２１はＯＶＦモードにおけるサブミラー２３の位置と略同一の位置に配置される（以下、この状態を光路分割系のＥＶＦ状態という）。このＥＶＦモードでは、撮影光学系５０からの光束のうちメインミラー２１を透過した光束は撮像素子３５に到達し、撮像素子３５にて撮像された画像（動画像）がディスプレイユニット３９に表示される。これにより、電子ファインダが実現されている。また、メインミラー２１で反射された光束は焦点検出ユニット６０に導かれ、撮影光学系５０の焦点状態の検出が可能である。
【００４３】
このＥＶＦモードでは、シャッタ先幕３１およびシャッタ後幕３２はシャッタ開口３３に対して退避し、シャッタ開口３３を開放している。この状態でカメラを放置すると、メインミラー２１を透過した光束は撮像素子３５に対して常に照射される。このため、高輝度被写体からの強い強度の光束が撮像素子３５上に結像し続けると、撮像素子３５上に配置されたカラーフィルタが劣化する等、撮像素子３５の性能に悪影響が及ぶおそれがある。
【００４４】
また、この状態で、仮にシャッタ先幕３１でシャッタ開口３３を閉じた状態とすると、撮像素子３５に光束は到達しないが、高輝度被写体からの強い強度の光束がシャッタ羽根上に略結像してシャッタ先幕３１の温度が上昇し、シャッタ先幕３１が変形してしまうおそれがある。このため、本実施例では、後述するように、ＥＶＦモードにおいて撮像が行われない非撮像状態が設定されたとき（言い換えれば、該設定を検出したとき）には、ＯＶＦモードに自動的に切り換えるようにしている。
【００４５】
図４は、本実施例のカメラの撮影状態を示すもので、メインミラー２１およびサブミラー２３が、ともに撮影光路から退避している。この撮影状態では、撮影状態に移行する直前にシャッタユニット３０をチャージしたシャッタ先幕３１を開方向に走行させ、所定時間後にシャッタ後幕３２を閉じ方向に走行させることで、撮像素子３５上に被写体像を受光させ、記録用画像の生成を行う。
【００４６】
図５には、図３に示したＥＶＦ状態において、撮像素子３５の状態を検出するための構成を示している。カメラ本体１内には、フラッシュ調光用の調光センサ７０および調光光学系７１が設けられている。調光光学系７１は、撮像素子３５上に形成された被写体像を調光センサ７０上に結像させる。これにより、調光センサ７０は撮像素子３５からの反射光を検出する。
【００４７】
ここで、調光センサ７０は、図６示す撮像状態において、撮像素子３５からの反射光を検出する機能によって、フラッシュユニットのプリ発光（フラッシュ本発光に先だって、最適なフラッシュ本発光の光量等を決めるために行われる発光）時の露出レベルを測定するために用いられる。しかし、撮像前のＥＶＦモードにおいて、図５に示すように、撮像素子３５上に投影されている被写体像が調光センサ７０上に形成されることにより、撮像素子３５上の被写体像の明るさ（被写体からの光量）および温度の検出を行う。
【００４８】
なお、図５および図６において、撮像素子３５とは別に設けられた調光センサ７０により撮像素子３５の状態検出を行う場合について説明したが、撮像素子３５内に温度センサを設けて、該撮像素子３５の状態を検出してもよい。また、撮像素子３５外に、輝度センサや温度センサを設けて、撮像素子３５の状態を検出するようにしてもよい。
【００４９】
次に、図７から図１４に示すフローチャートを用いて、本実施例のカメラ（主としてマイクロプロセッサ２）の動作を説明する。図７には、ＥＶＦモードでの動作を制御するためのＥＶＦモードメインルーチンを示す。
【００５０】
図７に示すステップ(以下、Ｓと略す)１００において、マイクロプロセッサ２は、ＥＶＦモードが終了しているか否かを判定する。ＥＶＦモードが終了していると判定した場合には、メインルーチンに復帰する。また、ＥＶＦモードが継続していると判定した場合には次のＳ１１０に進む。Ｓ１１０において、ＥＶＦ表示処理を実行し、次のＳ１２０に移行する。
【００５１】
Ｓ１２０において、マイクロプロセッサ２は、ＳＷ１がオンしているが否かを判定する。Ｓ１２０において、ＳＷ１かオンしていないと判定した場合にはＳ１００に戻る。また、Ｓ１２０において、ＳＷ１がオンしていると判定した場合には、次のＳ１３０に移行する。
【００５２】
Ｓ１３０において、マイクロプロセッサ２は、焦点検出センサ５による焦点検出処理を行い、次のＳ１４０に移行する。Ｓ１４０において、Ｓ１３０にて検出した焦点状態に基づいてフォーカスレンズ駆動を行い、次のＳ１５０に移行する。
【００５３】
Ｓ１５０において、マイクロプロセッサ２は、再度、焦点検出処理を行い、Ｓ１４０にて行ったフォーカスレンズ駆動後の焦点状態を検出し、次のＳ１６０に移行する。
【００５４】
Ｓ１６０において、Ｓ１５０で検出した焦点状態が合焦状態か否かを判定し、合焦状態でないと判定した場合には、Ｓ１４０に戻って、Ｓ１５０にて検出した焦点状態に基づいてフォーカスレンズ駆動を行う。Ｓ１６０において、合焦状態であると判定した場合には、次のＳ１７０に移行する。
【００５５】
Ｓ１７０において、マイクロプロセッサ２は、測光回路４による測光動作を行い、次のＳ１７５に移行する。Ｓ１７５において、ＳＷ１がオンしているが否かを判定する。ＳＷ１かオンしていないと判定した場合には、Ｓ１００に戻る。また、ＳＷ１がオンしていると判定した場合には、次のＳ１７７に移行する。
【００５６】
Ｓ１７７において、マイクロプロセッサ２は、ＥＶＦ表示処理を実行し、次のＳ１８０に移行する。
【００５７】
また、Ｓ１８０において、マイクロプロセッサ２は、ＳＷ２がオンしているか否かを判定する。Ｓ１８０において、ＳＷ２がオンしていないと判定した場合には、次のＳ１９０に進む。また、ＳＷ２がオンであると判定した場合には、Ｓ２００に進む。
【００５８】
Ｓ１９０において、マイクロプロセッサ２は、焦点調節モードを判定する。焦点調節モードが、合焦後に焦点調節状態が保持されるＯＮＥ  ＳＨＯＴモードであると判定した場合には、Ｓ１７０に戻る。Ｓ１９０において、焦点調節モードが、焦点調節を連続して行うＳＥＲＶＯモードであると判定した場合にはＳ１２０に戻る。
【００５９】
Ｓ２００において、マイクロプロセッサ２がモータ駆動回路３を制御することで、メインミラー２１およびサブミラー２３は図３に示したＥＶＦ状態から図４に示した撮影状態へアップ駆動（ミラーアップ動作）される。そして、Ｓ２１０に進む。Ｓ２１０において、ミラー検知回路１８を通じて、ミラーアップ動作が完了しているか否かを判定する。Ｓ２１０において、ミラーアップ動作が完了していないと判定した場合には、再度、ミラーアップ動作完了の判定を行う。Ｓ２１０において、ミラーアップ動作が完了していると判定した場合には、次のＳ２３０に進む。
【００６０】
Ｓ２３０において、マイクロプロセッサ２は、シャッタユニット３０の露光準備動作を行う。すなわち、シャッタ先幕３１の閉じ状態へのチャージ動作およびシャッタ後幕３２の開状態へのチャージ動作を行う。そしてＳ２４０に進む。
【００６１】
Ｓ２４０において、マイクロプロセッサ２は、シャッタユニット３０の露光準備動作が完了したか否かを判定する。露光準備動作が完了していないと判定した場合には、再度、シャッタユニット３０の状態判定を行う。また、露光準備動作が完了したと判定した場合には、次のＳ２６０に移行する。
【００６２】
Ｓ２６０において、マイクロプロセッサ２は、演算した絞り値に基づき、絞りユニット５２の駆動を行い、次のＳ２７０に進む。
【００６３】
Ｓ２７０において、マイクロプロセッサ２は、絞りユニット５２の制御が完了しているか否かを判定する。絞り制御が完了していないと判定した場合には、再度、絞り状態の判定を行う。Ｓ２７０においても絞り制御が完了していると判定された場合には、次のＳ２８０に進む。
【００６４】
Ｓ２８０において、マイクロプロセッサ２は、撮像素子駆動回路１１を介して撮像素子３５の初期化を実行し、次のＳ２９０に進む。
【００６５】
Ｓ２９０において、マイクロプロセッサ２は、撮影のためのシャッタ制御（すなわち、シャッタ先幕３１を開方向に走行させ、所定時間後にシャッタ後幕３２を閉じ方向に走行させること）を実行し、撮像素子駆動回路１１を介して撮像素子３５を駆動して電荷蓄積を行わせる。そして、次のＳ３００において、撮像素子３５に蓄積された電荷を読み出すことで、記録用画像の生成を行い、次のＳ３１０に進む。
【００６６】
Ｓ３１０において、マイクロプロセッサ２は、シャッタユニット３０のシャッタ先幕３１およびシャッタ後幕３２を開放し、次のＳ３３０に進む。
【００６７】
Ｓ３３０において、マイクロプロセッサ２がモータ駆動回路３を制御することで、メインミラー２１およびサブミラー２３を図４に示した撮影状態から図３に示したＥＶＦ状態へダウン駆動（ミラーダウン動作）される。そして次のＳ３４０にて、ミラー検知回路１８を通じて、ミラーダウン動作が完了したか否かを判定する。ミラーダウン動作が完了していないと判定した場合には、再度、ミラーダウン動作完了の判定を行う。ミラーダウン動作が完了していると判定した場合には、次のＳ３５０に移行する。
【００６８】
Ｓ３５０において、マイクロプロセッサ２は、絞りユニット５２の開放動作を開始し、次のＳ３６０に移行する。Ｓ３６０において、マイクロプロセッサ２は、絞りユニット５２の開放動作が完了しているか否かを判定する。絞り開放動作が完了していないと判定した場合には、再度、この判定を行う。絞り開放動作が完了していると判定した場合には、次のＳ３７０に移行する。
【００６９】
Ｓ３７０において、マイクロプロセッサ２は、ディスプレイユニット３９に撮像素子３５で撮像された画像を表示し、前述したＳ１９０に戻る。
【００７０】
図８には、ＯＶＦモードでの動作を制御するためのＯＶＦモードメインルーチンを示す。Ｓ２１００にて、マイクロプロセッサ２は、ファインダモードを判定する。ＥＶＦモードであると判定した場合には、図７にて説明したＥＶＦモードルーチンに移行する。Ｓ２１００において、ＯＶＦモードであると判定した場合には、次のＳ２１２０に進む。
【００７１】
Ｓ２１２０において、マイクロプロセッサ２は、ＳＷ１がオンしているか否かを判定する。ＳＷ１かオンしていないと判定した場合には、Ｓ２１００に戻り、ファインダモードの判定を再度行う。ＳＷ１がオンしていると判定した場合には、次のＳ２１３０に移行する。
【００７２】
Ｓ２１３０において、マイクロプロセッサ２は、焦点検出処理を実行し、撮影光学系５０の焦点状態を検出し、次のＳ２１４０に移行する。Ｓ２１４０において、Ｓ２１３０にて検出した焦点状態に基づいてフォーカスレンズ駆動を行い、次のＳ２１５０に移行する。Ｓ２１５０において、再度、焦点検出処理を行い、Ｓ２１４０にて行ったフォーカスレンズ駆動後の焦点状態を検出して、次のＳ２１６０に移行する。
【００７３】
Ｓ２１６０において、マイクロプロセッサ２は、Ｓ２１５０で検出した焦点状態が合焦状態か否かを判定する。合焦状態ではないと判定した場合には、Ｓ２１４０に戻り、Ｓ２１５０にて検出した焦点状態に基づいてフォーカスレンズ駆動を行う。Ｓ２１６０において、合焦状態であると判定した場合には、次のＳ２１７０に移行する。
【００７４】
Ｓ２１７０において、マイクロプロセッサ２は、測光動作を行い、次のＳ２１７５に移行する。Ｓ２１７５において、ＳＷ１がオンしているか否かを判定する。ＳＷ１かオンしていないと判定した場合には、Ｓ２１００に戻り、ファインダモードの判定を再度行う。Ｓ２１７５において、ＳＷ１がオンしていると判定した場合には、次のＳ２１８０に移行する。
【００７５】
Ｓ２１８０において、マイクロプロセッサ２は、ＳＷ２がオンしているか否かを判定する。ＳＷ２がオンしていないと判定した場合には、次のＳ２１９０に進む。ＳＷ２がオンしていると判定した場合には、Ｓ２２００に進む。
【００７６】
Ｓ２１９０において、マイクロプロセッサ２は、焦点調節モードの判定を行う。焦点調節モードがＯＮＥ  ＳＨＯＴモードであると判定した場合にはＳ２１７０に戻る。また、焦点調節モードがＳＥＲＶＯモードであると判定した場合には、Ｓ２１２０に戻る。
【００７７】
Ｓ２２００において、マイクロプロセッサ２は、モータ駆動回路３を制御して、メインミラー２１およびサブミラー２３を図２に示すＯＶＦ状態から図４に示す撮影状態への駆動（ミラーアップ動作）を開始し、次のＳ２２１０に進む。Ｓ２２１０において、ミラー検知回路１８を通じて、メインミラー２１およびサブミラー２３のミラーアップ動作が完了したか否かを判定する。Ｓ２２１０において、ミラーアップ動作が完了していないと判定した場合には、再度ミラーアップ動作の完了を判定する。Ｓ２２１０において、ミラーアップ動作が完了していると判定した場合には、次のＳ２２３０に進む。
【００７８】
Ｓ２２３０において、マイクロプロセッサ２は、シャッタユニット３０に露光準備動作（シャッタ先幕３１の閉じ状態へのチャージ動作およびシャッタ後幕３２の開状態へのチャージ動作）を実行させ、次のＳ２２４０に移行する。Ｓ２２４０において、シャッタユニット３０が露光準備動作を完了したか否かを判定する。露光準備動作を完了していないと判定した場合には、再度、この判定を行う。そして、露光準備を完了したと判定した場合には、次のＳ２２６０に移行する。
【００７９】
Ｓ２２６０において、マイクロプロセッサ２は、演算した絞り値に基づき、絞りユニット５２の駆動を行い、次のＳ２２７０に進む。
【００８０】
Ｓ２２７０において、マイクロプロセッサ２は、絞りユニット５２の制御が完了しているか否かを判定する。絞り制御が完了していないと判定した場合には、再度、絞り状態を判定する。また、絞り制御が完了していると判定した場合には、次のＳ２２８０に進む。
【００８１】
Ｓ２２８０において、マイクロプロセッサ２は、撮像素子駆動回路１１を介して撮像素子３５の初期化を行い、次のＳ２２９０に進む。
【００８２】
Ｓ２２９０において、マイクロプロセッサ２は、撮影のためのシャッタ制御（すなわち、シャッタ先幕３１を開方向に走行させ、所定時間後にシャッタ後幕３２を閉じ方向に走行させること）を実行し、撮像素子駆動回路１１を介して撮像素子３５を駆動して電荷蓄積を行わせる。そして、次のＳ２３００において、撮像素子３５に蓄積された電荷を読み出すことで、記録用画像の生成を行い、次のＳ２３１０に進む。
【００８３】
Ｓ２３１０において、マイクロプロセッサ２は、シャッタユニット３０のシャッタ先幕３１およびシャッタ後幕３２を開放し、次のＳ２３３０に進む。
【００８４】
Ｓ２３３０において、マイクロプロセッサ２がモータ駆動回路３を制御することで、メインミラー２１およびサブミラー２３を図４に示した撮影状態から図２に示すＯＶＦ状態へダウン駆動（ミラーダウン動作）される。次のＳ２３４０にて、ミラー検知回路１８を通じて、ミラーダウン動作が完了したか否かを判定する。ミラーダウン動作が完了していないと判定した場合には、再度、ミラーダウン動作完了の判定を行う。ミラーダウン動作が完了していると判定した場合には、次のＳ２３５０に移行する。
【００８５】
Ｓ２３５０において、マイクロプロセッサ２は、絞りユニット５２の開放動作を開始し、次のＳ２３６０に移行する。Ｓ２３６０において、マイクロプロセッサ２は、絞りユニット５２の開放動作が完了しているか否かを判定する。絞り開放動作が完了していないと判定した場合には、再度、この判定を行う。絞り開放動作が完了していると判定した場合には、前述したＳ２１９０に戻る。
【００８６】
図９には、メインミラー２１およびサブミラー２３の状態を判定するルーチンを示している。Ｓ３０００において、マイクロプロセッサ２は、メインミラー２１およびサブミラー２３がＥＶＦ状態ではないと判定した場合には、ＯＶＦ状態に設定されているので、メインルーチンに復帰する。一方、メインミラー２１およびサブミラー２３がＥＶＦ状態であると判定した場合には、次のＳ３０１０に移行する。
【００８７】
Ｓ３０１０において、マイクロプロセッサ２は、カメラの電源をＯＮ／ＯＦＦするメインスイッチの状態を判定する。メインスイッチが電源ＯＦＦ状態になっていると判定した場合には、後述するＳ３０６０に移行する。また、メインスイッチが電源ＯＮ状態に設定されていると判定した場合には、次のＳ３０１５に進む。Ｓ３０１５において、マイクロプロセッサ２は、図１に示したディスプレイＯＮ／ＯＦＦスイッチＳＷ４の状態を判定する。ディスプレイＯＮ／ＯＦＦスイッチＳＷ４がＯＦＦであると判定した場合には、Ｓ３０６０に移行する。また、ディスプレイＯＮ／ＯＦＦスイッチＳＷ４がＯＮであると判定した場合は、次のＳ３０２０に移行する。
【００８８】
Ｓ３０２０において、マイクロプロセッサ２は、撮像素子３５の温度検出を行うサブルーチンを実行し、次のＳ３０３０に移行する。温度検出サブルーチンについては後述する。
【００８９】
Ｓ３０３０において、マイクロプロセッサ２は、Ｓ３０２０にて検出した撮像素子３５の温度が所定値以上であるか否かを判定する。撮像素子３５の温度が所定値以上であると判定した場合には、後述するＳ３０６０に移行する。また、撮像素子３５の温度が所定値以上ではないと判定した場合には、次のＳ３０４０に移行する。
【００９０】
Ｓ３０４０において、マイクロプロセッサ２は、撮像素子３５上に結ばれた像の輝度（光量）を検出するサブルーチンを実行し、次のＳ３０５０に移行する。輝度検出サブルーチンについては後述する。
【００９１】
Ｓ３０５０において、マイクロプロセッサ２は、Ｓ３０４０にて検出した撮像素子３５上の像の輝度が所定値以上であるか否かを判定する。この輝度が所定値以上ではないと判定した場合には、メインルーチンに復帰する。また、この輝度が所定値以上であると判定した場合には、次のＳ３０６０に移行する。
【００９２】
Ｓ３０６０において、メインミラー２１およびサブミラー２３をＥＶＦ状態からＯＶＦ状態へ切り換えるサブルーチンを実行し、その後メインルーチンに復帰する。
【００９３】
図１０には、メインミラー２１およびサブミラー２３をＥＶＦ状態からＯＶＦ状態へ切り換えるサブルーチンを示している。Ｓ３１００において、マイクロプロセッサ２は、撮像素子３５撮像しているか否かを判定する。撮像素子３５が撮像していないと判定した場合には、後述するＳ３１２０に移行する。また、撮像素子３５が撮像していると判定した場合には、次のＳ３１１０に移行する。
【００９４】
Ｓ３１１０において、マイクロプロセッサ２は、撮像素子３５による撮像を中止し、次のＳ３１２０に移行する。
【００９５】
Ｓ３１２０において、マイクロプロセッサ２は、ディスプレイユニット３９（８）がＯＦＦ（非表示）状態であるか否かを判定する。ディスプレイユニット３９がＯＦＦ状態であると判定した場合には、後述するＳ３１４０に移行する。また、ディスプレイユニット３９がＯＦＦ状態ではない（表示状態である）と判定した場合には、次のＳ３１３０に移行する。
【００９６】
Ｓ３１３０において、マイクロプロセッサ２は、ディスプレイユニット３９をＯＮ状態からＯＦＦ状態にして、次のＳ３１４０に移行する。
【００９７】
Ｓ３１４０において、マイクロプロセッサ２は、絞りユニット５２が開放状態に設定されているが否かを判定する。絞りユニット５２が開放状態に設定されていると判定した場合には、後述するＳ３１６０に移行する。また、絞りユニット５２が開放状態に設定されていないと判定した場合には、次のＳ３１５０に移行する。
【００９８】
Ｓ３１５０において、マイクロプロセッサ２は、レンズ制御回路１９を介して絞りユニット５２を開放状態に駆動し、次のＳ３１６０に移行する。
【００９９】
Ｓ３１６０において、マイクロプロセッサ２は、メインミラー２１およびサブミラー２３の動作速度であるミラー駆動速度を決定するサブルーチンを実行し、その後次のＳ３１７０に移行する。ミラー駆動速度決定サブルーチンについては後述する。
【０１００】
Ｓ３１７０において、マイクロプロセッサ２は、シャッタユニット３０に露光準備動作（シャッタ先幕３１の閉じ状態へのチャージ動作およびシャッタ後幕３２の開状態へのチャージ動作）を実行させ、次のＳ３１８０に移行する。
【０１０１】
Ｓ３１８０において、マイクロプロセッサ２がモータ駆動回路３を制御することで、メインミラー２１およびサブミラー２３は図３に示したＥＶＦ状態から図４に示した撮影状態へアップ駆動（ミラーアップ動作）される。そして、Ｓ３１９０に移行する。
【０１０２】
Ｓ３１９０において、ミラー検知回路１８を通じて、ミラーアップ動作が完了しているか否かを判定する。ミラーアップ動作が完了していると判定した場合には、次のＳ３２００に移行する。ミラーアップ動作が完了していないと判定した場合には、Ｓ３１８０に戻り、再度、ミラーアップ動作を行う。Ｓ３２００において、マイクロプロセッサ２がモータ駆動回路３を制御することで、、メインミラー２１およびサブミラー２３を図４に示した撮影状態から図２に示したＯＶＦ状態に駆動し、メインルーチンへ復帰する。
【０１０３】
図１１には、メインミラー２１およびサブミラー２３をＥＶＦ状態へ切り換えるサブルーチンを示している。図１１において、Ｓ３３００では、マイクロプロセッサ２は、モータ駆動回路３を制御して、メインミラー２１およびサブミラー２３を図２に示したＯＶＦ状態から図４に示した撮影状態への駆動（ミラーアップ動作）を行い、次のＳ３３１０に移行する。
【０１０４】
Ｓ３３１０において、マイクロプロセッサ２は、ミラー検知回路１８を通じて、メインミラー２１およびサブミラー２３のミラーアップ動作が完了したか否かを判定する。ミラーアップ動作が完了していないと判定した場合には、Ｓ３３００に戻り、再度ミラーアップ動作を行う。また、ミラーアップ動作が完了していると判定した場合には、次のＳ３３２０に移行する。Ｓ３３２０において、マイクロプロセッサ２がモータ駆動回路３を制御することで、メインミラー２１およびサブミラー２３を図４に示した撮影状態から図３に示したＥＶＦ状態に駆動する。
【０１０５】
次に、Ｓ３３３０において、マイクロプロセッサ２は、撮像素子駆動回路１１を介して撮像素子３５を駆動して、画像の生成を行う。そして、Ｓ３３４０において、Ｓ３３３０にて生成した画像をディスプレイユニット３９に表示し、メインルーチンに復帰する。
【０１０６】
図１２には、ミラー駆動速度決定サブルーチンを示している。Ｓ３４００において、マイクロプロセッサ２は、メインミラー２１およびサブミラー２３の動作が撮影時の動作、すなわちＯＶＦ状態又はＥＶＦ状態から撮影状態への切り換え動作であるのか、ファインダモードの切り換え動作、すなわちＥＶＦ状態とＯＶＦ状態との間での切り換え動作であるのかを判定する。撮影時の動作であると判定した場合には、後述するＳ３４５０に移行する。また、ファインダモード切り換え動作であると判定した場合には、次のＳ３４１０に移行する。
【０１０７】
Ｓ３４１０において、マイクロプロセッサ２は、ファインダモード切り換え動作が、ＥＶＦ状態からＯＶＦ状態への切り換え動作であるのか、ＯＶＦ状態からＥＶＦ状態への切り換え動作であるのかを判定する。ＥＶＦ状態への切り換え動作であると判定した場合には、後述するＳ３４４０に移行する。また、ＯＶＦ状態への切り換え動作であると判定した場合には、次のＳ３４２０に移行する。
【０１０８】
Ｓ３４２０において、マイクロプロセッサ２は、撮影者がＯＶＦ状態への切り換え操作を行ったか否かを判定する。すなわち、ファインダモード切り換えスイッチＳＷ３の操作によりＯＶＦ状態への切り換えが指示されたのか否かを判定する。撮影者がＯＶＦ状態への切り換え操作を行ったと判定した場合には、後述するＳ３４４０に移行する。また、撮影者がＯＶＦ状態への切り換え操作を行っていないと判定した場合には、次のＳ３４３０に移行する。
【０１０９】
Ｓ３４３０において、マイクロプロセッサ２は、メインミラー２１およびサブミラー２３のミラー駆動速度を第３の駆動速度に設定して、メインルーチンに復帰する。また、Ｓ３４４０において、メインミラー２１およびサブミラー２３のミラー駆動速度を第２の駆動速度に設定して、メインルーチンに復帰する。さらに、Ｓ３４５０において、メインミラー２１およびサブミラー２３のミラー駆動速度を第１の駆動速度に設定して、メインルーチンに復帰する。
【０１１０】
したがって、第１の駆動速度は、メインミラー２１およびサブミラー２３がＯＶＦ状態又はＥＶＦ状態から撮影状態に切り換わる際および撮影状態からＯＶＦ状態又はＥＶＦ状態に切り換わる際のミラー駆動速度であり、本カメラにて出し得る最高速度が設定される。これにより、ＯＶＦ状態又はＥＶＦ状態から第２ストロークスイッチＳＷ２のオンに応じた撮影状態への移行および撮影終了後のＯＶＦ状態又はＥＶＦ状態への復帰を高速で行えるようにしている。
【０１１１】
また、第２の駆動速度は、撮影者がファインダモード切り換えスイッチＳＷ３を操作することによって、メインミラー２１およびサブミラー２３をＯＶＦ状態とＥＶＦ状態との間での切り換えを行う場合のミラー駆動速度である。第２の駆動速度は、第１の駆動速度よりは遅いが、軽快なモード切り換え動作とミラー駆動による衝撃の低減とを両立できる速度に設定されている。
【０１１２】
さらに、第３の駆動速度は、マイクロプロセッサ２によるＥＶＦ状態の自動解除動作や輝度、温度の検出に基づいて自動的にメインミラー２１およびサブミラー２３をＥＶＦ状態からＯＶＦ状態に切り換える場合のミラー駆動速度である。第３の駆動速度は、第２の駆動速度より遅く、ミラー駆動による振動や衝撃音を第２の駆動速度でのミラー駆動時よりもさらに低減できる速度に設定されている。
【０１１３】
なお、本実施例において、ミラー駆動速度を３段階に設定する場合について説明したが、本発明ではこれに限らず、例えば、第１の駆動速度と第２の駆動速度とを同じとし、第３の駆動速度をこれら第１および第２の駆動速度より低速とするよう２段階に設定してもよい。また、第３の駆動速度を、第２の駆動速度より低速の範囲で撮影者が任意に設定できる構成を設けてもよい。
【０１１４】
図１３には、撮像素子３５の温度検出サブルーチンを示している。Ｓ３５００において、マイクロプロセッサ２は、調光センサ７０（又は温度センサ）を通じて撮像素子３５の温度を検出し、図１に示した記憶回路１０に記憶する。この温度検出は、所定の周期ごとに繰り返し行われ、直近の所定回数分（つまりは所定時間の間）の検出温度が記憶保持される。
【０１１５】
次に、Ｓ３５１０において、マイクロプロセッサ２は、Ｓ３５００にて記憶保持されている撮像素子３５の検出温度を読み出し、次のＳ３５２０に移行する。
【０１１６】
Ｓ３５２０は、図９に示したＳ３０３０に相当するステップであり、マイクロプロセッサ２は、Ｓ３０２０にて検出した温度に所定値以上のものが存在しているか否かを判定する。Ｓ３５２０において、所定値以上の検出温度が存在すると判定した場合には、図１０に示すＯＶＦ状態への切り換えサブルーチンに移行する。また、所定値以上の検出温度が存在しないと判定した場合には、次のＳ３５３０に移行する。
【０１１７】
Ｓ３５３０は、図９に示したＳ３０４０〜３０５０に相当するステップであり、マイクロプロセッサ２は、撮像素子３５上の輝度を検出し、所定値以上か否かを判定するためのサブルーチンを実行する。
【０１１８】
図１４には、撮像素子上の輝度検出および検出した輝度が所定値以上か否かを判定するサブルーチンを示している。Ｓ３７００において、マイクロプロセッサ２は、撮像素子３５からの信号（電荷蓄積信号）に基づいて画像を生成し、Ｓ３７１０において、画像のデータを輝度検出用に取り出して、次のＳ３７２０に移行する。
【０１１９】
Ｓ３７２０において、マイクロプロセッサ２は、取り込んだ画像データを複数の領域に分割する。そして、複数の領域の中から最大輝度を持つ領域を抽出し、次のＳ３７３０に移行する。
【０１２０】
Ｓ３７３０において、マイクロプロセッサ２は、最大輝度領域の移動量を所定値と比較することで、最大輝度領域が移動しているか否かを判定する。最大輝度領域の移動量が所定値以上であると判定された場合、すなわち最大輝度領域が移動していると判定した場合には、次のＳ３７４０に移行する。一方、最大輝度領域の移動量が所定値より小さい、すなわち移動していないと判定した場合には、Ｓ３７５０に移行する。移動量の検出は、画像上での被写体像の動きベクトルを画像処理技術を用いて算出する等の方法により求めることができる。
【０１２１】
Ｓ３７４０において、マイクロプロセッサ２は、最大輝度領域として抽出する（つまりは注目する）領域を変更し、Ｓ３７６０に移行する。
【０１２２】
Ｓ３７５０において、マイクロプロセッサ２は、最大輝度領域として注目する領域を維持し、Ｓ３７６０に移行する。
【０１２３】
Ｓ３７６０において、マイクロプロセッサ２は、注目領域の積算光量を算出し、次のＳ３７７０に移行する。
【０１２４】
Ｓ３７７０において、マイクロプロセッサ２は、Ｓ３７６０にて算出した積算光量、つまりは検出輝度が所定値以上であるか否かを判定する。検出輝度が所定値以上であると判定した場合には、後述するＳ３８１０に移行する。一方、検出輝度が所定値より小さいと判定した場合には、次のＳ３７８０に移行する。
【０１２５】
Ｓ３７８０において、マイクロプロセッサ２は、各分割領域の光量検出を行い、次のＳ３７９０に移行する。さらに、Ｓ３７９０において、各分割領域での所定時間あたりの積算光量を算出し、次のＳ３８００に移行する。
【０１２６】
Ｓ３８００において、マイクロプロセッサ２は、Ｓ３７９０にて積算光量を算出した複数領域のうち積算光量が所定値以上となる領域が存在しているか否かを判定する。積算光量が所定値以上となる領域が存在すると判定した場合には、Ｓ３８１０に移行する。一方、積算光量が所定値以上の領域が存在していないと判定した場合には、メインルーチンに復帰する。
【０１２７】
Ｓ３８１０において、マイクロプロセッサ２は、撮影動作中であるか否かを判定する。撮影動作中であると判定した場合には、次のＳ３８２０に移行する。撮影動作中ではないと判定した場合には、ＯＶＦ状態への切り換えサブルーチンに移行する。
【０１２８】
Ｓ３８２０において、マイクロプロセッサ２は、ディスプレイユニット３９に高輝度被写体を表示中であることを文字、記号等により表示し、メインルーチンへ復帰する。
【０１２９】
図１５には、カメラの電源ＯＦＦサブルーチンを示している。この電源ＯＦＦサブルーチンは、カメラのスイッチ等が所定時間何の操作もされない状態（無操作状態）で放置された場合に、電源を自動的にＯＦＦ（遮断）として非撮像状態とし、さらにこのときメインミラー２１およびサブミラー２３がＥＶＦ状態であったときは、ＯＶＦ状態に切り換えるものである。
Ｓ４３００において、マイクロプロセッサ２は、無操作状態の経過時間を計時するタイマーの検出を行い、次のＳ４３１０に移行する。
【０１３０】
Ｓ４３１０において、マイクロプロセッサ２は、タイマー検出時間が所定時間以上であるか否かを判定する。所定時間以上であると判定した場合には、次のＳ４３２０に移行する。また、タイマー検出時間が所定値に達していないと判定した場合には、Ｓ４３００に戻る。
【０１３１】
Ｓ４３２０において、マイクロプロセッサ２は、電源をＯＦＦするための処理を実行し、Ｓ４３３０に移行する。
【０１３２】
Ｓ４３３０において、マイクロプロセッサ２は、ＯＶＦ状態への切り換えサブルーチンを実行する。
【０１３３】
以上説明したように、本実施例によれば、メインミラー２１およびサブミラー２３がＥＶＦ状態にあって、カメラの電源オフなどによってＥＶＦ状態の自動解除動作を行う場合や撮像素子３５への強い光量の照射又は撮像素子３５の温度上昇が検出された場合には、メインミラー２１およびサブミラー２３を撮像素子３５上に物体光束が到達しないＯＶＦ状態に自動的に切り換えられるので、ＥＶＦ状態でカメラが放置されたような場合において、高輝度被写体からの強い強度の光線や光束による温度上昇等に起因する撮像素子３５の劣化を防止することができる。
【０１３４】
また、本実施例では、ＥＶＦ状態でのカメラの電源ＯＦＦに伴い、メインミラー２１およびサブミラー２３をＯＶＦ状態に自動的に切り換えるので、電源ＯＦＦ状態では常に光学ファインダにより物体像を確認することができる。
【０１３５】
また、本実施例では、ディスプレイユニット３９の非表示状態への切り換えに応じて、光メインミラー２１およびサブミラー２３をＯＶＦ状態に切り換えるので、撮像素子３５上への物体像の無用な投影時間を短縮することができ、撮像素子３５の劣化を最小限にとどめることができる。
【０１３６】
さらに、本実施例によれば、メインミラー２１およびサブミラー２３がＥＶＦ状態からＯＶＦ状態に自動的に切り換わる際のメインミラー２１およびサブミラー２３の駆動速度（ミラー駆動速度）が、ファインダモード切り換えスイッチＳＷ３の操作に基づくＥＶＦ状態からＯＶＦ状態への切り換え時の駆動速度よりも低速に設定されるため、自動切り換えに際しての静音化、低衝撃化を図ることができる。
【０１３７】
なお、本実施例では、撮像素子３５の温度や輝度の検出結果が所定値以上となったときにＥＶＦ状態からＯＶＦ状態に切り換える場合について説明したが、光路分割系よりも撮像素子３５側であって撮像素子３５の直前に配置された、シャッタユニット３０やローパスフィルタや赤外カットフィルタなどの光学フィルタ４５の温度や輝度を検出し、検出結果が所定値以上となったときにＥＶＦ状態からＯＶＦ状態に切り換えるようにしてもよい。
【実施例２】
【０１３８】
上記実施例１では、ＥＶＦ状態での電源オフまたはディスプレイユニット３９のオフを検出することにより直ちにメインミラー２１およびサブミラー２３をＯＶＦ状態に切り換える場合について説明したが、まずシャッタユニット３０のシャッタ先幕３１を閉じ、シャッタユニット３０への高輝度被写体像の投影やシャッタユニット３０の温度上昇が検出された場合にメインミラー２１およびサブミラー２３をＯＶＦ状態に切り換えるようにしてもよい。
【０１３９】
図１６には、ＥＶＦ状態での電源オフまたはディスプレイユニット３９のオフを検出することによって、シャッタユニット３０を閉じた状態を示している。なお、実施例１と共通する構成要素には、実施例１と同符号を付して説明に代える。ここで、本実施例では、輝度検出センサとしての調光センサ７０を用いて、メインミラー２１およびサブミラー２３よりも撮像素子３５側であって撮像素子３５の直前に配置されたシャッタユニット３０のシャッタ先幕３１に投影された被写体像の輝度（光量）を検出している。
【０１４０】
図１７には、輝度検出センサによる輝度判定サブルーチンを示している。Ｓ４１００において、マイクロプロセッサ２は、輝度検出センサによりシャッタユニット３０上の輝度を検出し、記憶回路１０に記憶させる。
【０１４１】
次にＳ４１１０において、マイクロプロセッサ２は、記憶回路１０から検出輝度データを読み出し、次のＳ４１２０に移行する。
【０１４２】
Ｓ４１２０において、マイクロプロセッサ２は、読み込んだ輝度データを複数の領域の輝度データに分割し、分割した輝度データから最大輝度のデータを抽出し、次のＳ４１３０に移行する。
【０１４３】
Ｓ４１３０において、マイクロプロセッサ２は、最大輝度データの領域（以下、最大輝度領域という）が所定量以上移動したか否かを判定する。最大輝度領域の移動量が所定値以上であると判定した場合には、次のＳ４１４０に移行する。また、最大輝度領域の移動量が所定値より小さいと判定した場合はＳ４１５０に移行する。
【０１４４】
Ｓ４１４０において、マイクロプロセッサ２は、最大輝度領域として注目する領域を変更し、Ｓ４１６０に移行する。また、Ｓ４１５０において、最大輝度領域として注目する領域を維持し、Ｓ４１６０に移行する。
【０１４５】
Ｓ４１６０において、マイクロプロセッサ２は、抽出した注目領域の積算光量を算出し、次のＳ４１７０に移行する。
【０１４６】
Ｓ４１７０において、マイクロプロセッサ２は、Ｓ４１６０にて算出した積算光量が所定値以上であるか否かを判定する。積算光量が所定値以上であると判定した場合には、後述するＳ４２１０に移行する。また、積算光量が所定値より小さいと判定した場合には、次のＳ４１８０に移行する。
【０１４７】
Ｓ４１８０において、マイクロプロセッサ２は、各領域の光量検出を行い、次のＳ４１９０に移行する。Ｓ４１９０において、撮像素子の各領域での所定時間あたりの積算光量の算出を行い、次のＳ４２００に移行する。
【０１４８】
Ｓ４２００において、マイクロプロセッサ２は、Ｓ４１９０において積算光量を算出した複数の領域のうち積算光量が所定値以上となる領域が存在しているか否かを判定する。積算光量が所定値以上となる領域が存在すると判定した場合には、Ｓ４２１０に移行する。また、積算光量が所定値以上の領域が存在しないと判定した場合には、メインルーチンに復帰する。
【０１４９】
Ｓ４２１０において、マイクロプロセッサ２は、カメラが撮影動作中であるか否かを判定する。撮影動作中であると判定した場合には、次のＳ４２２０に移行する。また、撮像動作中ではないと判定した場合には、ＯＶＦ切り換えサブルーチンに移行する。
【０１５０】
Ｓ４２２０において、マイクロプロセッサ２は、ディスプレイユニット３９に高輝度被写体を表示中であることを文字、記号等により表示し、メインルーチンへ復帰する。
【０１５１】
本実施例によれば、ＥＶＦ状態において電源オフまたはディスプレイユニット３９のオフを検出した場合には、まずシャッタユニット３０を閉じることにより、高輝度被写体からの光束や光束による温度上昇に起因する撮像素子３５の劣化を回避することができる。しかも、シャッタユニット３０の輝度の検出結果が所定値以上であると判定した場合には、メインミラー２１およびサブミラー２３をＯＶＦ状態に切り換えるので、シャッタユニット３０の温度上昇による変形を回避することができる。
【図面の簡単な説明】
【０１５２】
【図１】本発明の実施例１である撮像装置の電気回路の構成を示すブロック図。
【図２】実施例１の撮像装置（ＯＶＦ状態）の構成を示す断面図。
【図３】実施例１の撮像装置（ＥＶＦ状態）の構成を示す断面図。
【図４】実施例１の撮像装置（撮像状態）の構成を示す断面図。
【図５】実施例１の撮像装置（ＥＶＦ状態）であって調光センサを含む構成を示す断面図。
【図６】実施例１の撮像装置（撮像状態）であって調光センサを含む構成を示す断面図。
【図７】実施例１の撮像装置の動作を示すフローチャート（ＥＶＦモードメインルーチン）。
【図８】実施例１の撮像装置の動作を示すフローチャート（ＯＶＦモードメインルーチン）。
【図９】実施例１の撮像装置の動作を示すフローチャート（ミラー状態判定サブルーチン）。
【図１０】実施例１の撮像装置の動作を示すフローチャート（ＯＶＦ切換サブルーチン）。
【図１１】実施例１の撮像装置の動作を示すフローチャート（ＥＶＦ切換サブルーチン）。
【図１２】実施例１の撮像装置の動作を示すフローチャート（ミラー駆動速度決定サブルーチン）。
【図１３】実施例１の撮像装置の動作を示すフローチャート（撮像素子温度検出・判定サブルーチン）。
【図１４】実施例１の撮像装置の動作を示すフローチャート（撮像素子輝度検出・判定サブルーチン）。
【図１５】実施例１の撮像装置の動作を示すフローチャート（電源ＯＦＦサブルーチン）。
【図１６】本発明の実施例２である撮像装置（ＥＶＦ状態）の構成を示す断面図。
【図１７】実施例２の撮像装置の動作を示すフローチャート（撮像素子輝度検出・判定サブルーチン）。
【符号の説明】
【０１５３】
１  カメラ本体
２０  ミラーボックス
２１  メインミラー
２３  サブミラー
３０  シャッタユニット
３５  撮像素子
３９  ディスプレイユニット
４０  ファインダ光学系
５０  撮影光学系
６０  焦点検出ユニット
７０  調光センサ
【図１２】
2006340277.tif 000003
【図１】
2006340277.tif 000004
【図２】
2006340277.tif 000005
【図３】
2006340277.tif 000006
【図４】
2006340277.tif 000007
【図５】
2006340277.tif 000008
【図６】
2006340277.tif 000009
【図７】
2006340277.tif 000010
【図８】
2006340277.tif 000011
【図９】
2006340277.tif 000012
【図１０】
2006340277.tif 000013
【図１１】
2006340277.tif 000014
【図１３】
2006340277.tif 000015
【図１４】
2006340277.tif 000016
【図１５】
2006340277.tif 000017
【図１６】
2006340277.tif 000018
【図１７】
2006340277.tif 000019